(57)【要約】【課題】  持ち込まれた情報処理装置の映像出力を接続するだけで、遠隔地との間で共有、書き込みができる遠隔描画装置を提供する。【解決手段】  地点Ａの遠隔描画装置１００は、持込携帯端末１０２からの映像を表示領域Ｃ１に表示する表示装置１０３と、地点Ｂの遠隔描画装置からネットワークを介して取得した描画情報を描画図形表示装置１０６で表示できる形式に変換する描画情報変換装置１０５と、描画情報変換装置１０５で変換して描画情報に基づいて、所定の映像を表示領域Ｃ１に表示する描画図形表示装置１０６と、表示領域Ｃ１を撮影する撮影装置１０７と、撮影装置１０７で撮影した映像の映像信号をネットワークを介して地点Ｂの遠隔描画装置へ送信する映像送信装置１０８とを備える。【選択図】          図４
2006128951.tif 000002
【特許請求の範囲】
【請求項１】
情報処理装置からの映像を所定の表示領域に表示する第１の表示手段と、
外部からネットワークを介して取得した情報に基づいて、所定の映像を前記表示領域に表示する第２の表示手段と、
前記表示領域を撮影する撮影手段と、
前記撮影手段で撮影した映像の映像信号をネットワークを介して外部へ送信する送信手段とを備えることを特徴とする遠隔描画装置。
【請求項２】
情報処理装置から取得した映像信号に、外部からネットワークを介して取得した情報を合成する合成手段と、
前記合成手段で合成した映像信号に基づいて、所定の映像を所定の表示領域に表示する表示手段と、
前記表示領域を撮影する撮影手段と、
前記撮影手段で撮影した映像の映像信号をネットワークを介して外部へ送信する送信手段とを備えることを特徴とする遠隔描画装置。    
【請求項３】
所定の入力手段から入力された描画情報をネットワークを介して外部へ送信する送信手段と、
所定の情報処理装置から取得した映像信号に、外部からネットワークを介して取得した情報および前記入力手段から入力された描画情報を合成する合成手段と、
前記合成手段が合成した映像信号に基づいて、所定の映像を表示する表示手段とを備えることを特徴とする遠隔描画装置。
【請求項４】
前記遠隔描画装置は更に、前記外部から取得した情報を表示できる形式に変換する変換手段を備えることを特徴とする請求項１から請求項３のいずれか一項に記載の遠隔描画装置。
【請求項５】
前記遠隔描画装置は更に、前記情報処理装置から映像信号を取り込むと共に、前記情報処理装置が接続されていないかまたは前記情報処理装置から映像信号が出力されていないときに、黒色あるいは均一色の映像信号を出力する取得手段を備えることを特徴とする請求項１から請求項３のいずれか一項に記載の遠隔描画装置。
【請求項６】
前記遠隔描画装置は更に、前記情報処理装置からの映像信号を外部に送信する送信手段を備えることを特徴とする請求項１から請求項３のいずれか一項に記載の遠隔描画装置。
【請求項７】
前記送信手段は、前記情報処理装置が接続されていないかまたは前記情報処理装置から映像信号が出力されていないときには、前記映像信号を外部に出力しないかまたは映像信号がないことを示すメッセージを送信することを特徴とする請求項６記載の遠隔描画装置。
【請求項８】
前記遠隔描画装置は更に、前記撮影手段で撮影される映像の座標を用いて、前記外部からネットワークを介して取得する情報の座標を変換する座標変換手段を備えることを特徴とする請求項１または請求項２記載の遠隔描画装置。
【請求項９】
前記第１の表示手段、前記第２の表示手段または前記表示手段は、ビデオプロジェクタであることを特徴とする請求項１または請求項２記載の遠隔描画装置装置。
【請求項１０】
前記各第１の表示手段、前記第２の表示手段または前記表示手段は、背面投射型のビデオプロジェクタであることを特徴とする請求項１または請求項２記載の遠隔描画装置。
【請求項１１】
前記撮影手段は、パン、チルトおよびズームのうちの少なくとも一つの機能を有するカメラであることを特徴とする請求項１または請求項２記載の遠隔描画装置。
【請求項１２】
前記撮影手段のパン、チルト、ズームは、ネットワークを介して制御できることを特徴とする請求項１１記載の遠隔描画装置。
【請求項１３】
前記撮影手段は、前記表示手段の表示領域を撮影できる広角カメラと、所定の情報処理装置上で前記広角カメラの映像内の一部を矩形で指定すると該矩形に対応した画角になるようにパン、チルトまたはズーム制御されるカメラとからなることを特徴とする請求項１または請求項２記載の遠隔描画装置。
【請求項１４】
前記変換手段は、変換する描画情報がないときは、黒色の映像信号を出力することを特徴とする請求項４記載の遠隔描画装置。
【請求項１５】
前記第１の表示手段または前記第２の表示手段は、それぞれの画素の座標が一致することを特徴とする請求項１記載の遠隔描画装置。
【請求項１６】
前記撮影手段は、絞り、ゲインまたはシャッタースピードを自動的に調節することを特徴とする請求項１または請求項２記載の遠隔描画装置。
【請求項１７】
前記撮影手段は、前記絞り、ゲインまたはシャッタースピードの自動調節の際に、絞りまたはゲインより、シャッタースピードを先に調節することを特徴とする請求項１６記載の遠隔描画装置。
【請求項１８】
前記遠隔描画装置は更に、前記表示手段で表示する映像の明るさによって、前記撮影手段の絞り、ゲイン、シャッタースピード、前記表示手段の表示明度または遠隔描画装置の表示明度のパラメータを調整する調整手段を備えることを特徴とする請求項１または請求項２記載の遠隔描画装置。
【請求項１９】
前記情報処理装置の映像信号は、映像ケーブルまたは無線信号で送信されることを特徴とする請求項１から請求項３のいずれか一項に記載の遠隔描画装置。
【請求項２０】
前記遠隔描画装置は更に、前記表示領域に接触することにより座標を入力できる入力手段を備えることを特徴とする請求項３記載の遠隔描画装置。
【請求項２１】
前記表示領域は、ペンで直接書き込みまたは消去ができる物質であることを特徴とする請求項１または請求項２記載の遠隔描画装置。
【請求項２２】
前記表示領域は、磁石が付着できる金属でてきていることを特徴とする請求項１または請求項２記載の遠隔描画装置。
【請求項２３】
前記表示手段は、描画方法選択用のボタンを表示することを特徴とする請求項３記載の遠隔描画装置。
【請求項２４】
前記遠隔描画装置は更に、描画方法を選択することができる選択ボタンを備えることを特徴とする請求項３記載の遠隔描画装置。
【請求項２５】
前記送信手段は、送信する映像に変化が起こったときに映像信号を送信することを特徴とする請求項１から請求項３のいずれか一項に記載の遠隔描画装置。
【請求項２６】
請求項１または請求項２記載の遠隔描画装置と、
前記遠隔描画装置から送信される映像信号を表示できる形式に変換する変換手段と該変換手段が変換した映像信号に基づいて所定の映像を表示する表示手段と所定の入力手段から入力された描画情報を前記遠隔描画装置へ送信する送信手段とを含む第２の遠隔描画装置と
を備えることを特徴とするシステム。
【請求項２７】
前記表示手段は、カメラのパン、チルト、ズームを制御するためのボタンを表示することを特徴とする請求項２６記載のシステム。
【請求項２８】
前記システムは更に、カメラのパン、チルト、ズームを制御するためのボタンを備えることを特徴とする請求項２６記載のシステム。
【請求項２９】
請求項３記載の遠隔描画装置と、
前記遠隔描画装置から送信される映像信号を映像化する第１の変換手段と、所定の入力手段からの描画情報を前記遠隔描画装置へ送信する送信手段と、前記遠隔描画装置から取得した描画情報を表示できる形式に変換する第２の変換手段と、前記第１の変換手段で変換した映像信号に前記入力手段からの描画情報および前記第２の変換手段で変換した描画情報を合成する合成手段と、前記合成手段で合成した映像信号に基づいて所定の映像を表示する表示手段とを含む第２の遠隔描画装置と
を備えることを特徴とするシステム。
【請求項３０】
前記第１の変換手段は、前記映像信号が送信されてこないかまたは前記映像信号がないというメッセージを受信したときに、白色あるいは均一色の映像信号を前記合成手段に出力することを特徴とする請求項２９記載のシステム。
【請求項３１】
前記システムは更に、前記映像信号、前記描画情報の送受信を中継するサーバーを備えることを特徴とする請求項２６または請求項２９記載のシステム。
【請求項３２】
前記システムは更に、前記映像信号、前記描画情報、およびこれらの属性情報を保存し、これらの保存されたデータを要求に応じて送信するサーバーを備えることを特徴とする請求項２６または請求項２９記載のシステム。
【請求項３３】
前記システムは、前記映像信号および前記描画情報の送信元と送信先を管理し、要求に応じて該送信元と該送信先を変更するサーバーを備えることを特徴とする請求項２６または請求項２９記載のシステム。
【請求項３４】
前記システムは、複数の地点から送られてきた映像信号をひとつの映像に合成するサーバーを備えることを特徴とする請求項２６または請求項２９記載のシステム。
【請求項３５】
情報処理装置からの映像を第１の表示手段から所定の表示領域に表示する第１表示ステップと、
外部からネットワークを介して取得した情報に基づいて、所定の映像を第２の表示手段から前記表示領域に表示する第２表示ステップと、
前記表示領域を撮影する撮影ステップと、
前記撮影ステップで撮影した映像の映像信号をネットワークを介して外部へ送信する送信ステップとを有することを特徴とする遠隔描画方法。
【請求項３６】
情報処理装置から取得した映像信号に、外部からネットワークを介して取得した情報を合成する合成ステップと、
前記合成ステップで合成した映像信号に基づいて、所定の映像を所定の表示領域に表示する表示ステップと、
前記表示領域を撮影する撮影ステップと、
前記撮影ステップで撮影された映像の映像信号をネットワークを介して外部へ送信する送信ステップとを有することを特徴とする遠隔描画方法。    
【請求項３７】
所定の入力手段から入力された描画情報をネットワークを介して外部へ送信する送信ステップと、
所定の情報処理装置から取得した映像信号に、外部からネットワークを介して取得した情報および前記入力手段から入力された描画情報を合成する合成ステップと、
前記合成ステップで合成された映像信号に基づいて、所定の映像を表示する表示ステップとを有することを特徴とする遠隔描画方法。
【発明の詳細な説明】
【技術分野】
【０００１】
本発明は、遠隔描画装置、システムおよび遠隔描画方法に関する。
【背景技術】
【０００２】
従来、持込端末を大画面の表示装置に接続して会議等を行うことができる描画装置が提案されている。このような描画装置として以下のようなものが提案されている。
【０００３】
図１は特許文献１記載の電子黒板システムの概要を説明するための図である。図１に示すように、電子黒板システム１は、大画面の表示装置２、電子入力装置３、パーソナルコンピュータ（ＰＣ）４で構成され、電子入力装置３からの信号がＰＣ４に送られ、これをＰＣ４が映像信号に変換して、ペンで書いた図形が表示装置２に表示され、会議参加者が電子入力装置３から入力された図形を見ることができる。
【０００４】
図２は特許文献２記載の遠隔地間で情報を共有できる電子黒板システムの概要を説明するための図である。図２に示すように、電子黒板システム１１は、地点Ａの遠隔描画装置１２Ａおよび地点Ｂの遠隔描画装置１２Ｂを備える。各遠隔描画装置１２Ａ、１２Ｂは、大画面の表示装置１３Ａ、１３Ｂ、電子入力装置１４Ａ、１４Ｂ、ＰＣ１５Ａ、１５Ｂを備え、地点Ａで描画した図形が地点Ｂの画面に描画されるので、遠隔地でホワイトボードを共有した会議を行うことができる。
【０００５】
【特許文献１】特開２００１−１４２４２５号公報
【特許文献２】特開２００３−１３１８０３号公報
【発明の開示】
【発明が解決しようとする課題】
【０００６】
しかしながら、特許文献１及び２の電子黒板システムでは、ＰＣ内に格納されたスライド資料を画面に出力したり、遠隔地との間で共有したりする場合、ＰＣを電子入力装置に接続する必要があるため、電子入力装置のための専用のデバイスドライバーをＰＣにインストールする必要がある。また、特許文献２記載の電子黒板システムでは、ＰＣの画面をネットワーク経由で他の遠隔地のＰＣに送るためには、ＰＣにさらに専用の画面送信ソフトウェアをインストールする必要がある。これらソフトウェアをインストールするには時間がかかるため、ＰＣを接続してからすぐにスライド資料を表示したり画面を遠隔地に送ることができないという問題がある。
【０００７】
そこで、本発明は、上記問題点に鑑みてなされたもので、持ち込まれた情報処理装置の映像出力を接続するだけで、遠隔地との間で共有、書き込みを行うことができる遠隔描画装置、システムおよび遠隔描画方法を提供することを目的とする。
【課題を解決するための手段】
【０００８】
上記課題を解決するために、本発明は、情報処理装置からの映像を所定の表示領域に表示する第１の表示手段と、外部からネットワークを介して取得した情報に基づいて、所定の映像を前記表示領域に表示する第２の表示手段と、前記表示領域を撮影する撮影手段と、前記撮影手段で撮影した映像の映像信号をネットワークを介して外部へ送信する送信手段とを備える遠隔描画装置である。本発明によれば、外部から取得した情報を表示領域上に表示し、撮影手段により表示領域を撮影し、撮影手段で撮影した映像を外部へ送信するので、持ち込まれた情報処理装置の映像出力を接続するだけで、遠隔地と共有、書き込みを行うことができる。
【０００９】
本発明は、情報処理装置から取得した映像信号に、外部からネットワークを介して取得した情報を合成する合成手段と、前記合成手段で合成した映像信号に基づいて、所定の映像を所定の表示領域に表示する表示手段と、前記表示領域を撮影する撮影手段と、前記撮影手段で撮影した映像の映像信号をネットワークを介して外部へ送信する送信手段とを備える遠隔描画装置である。本発明によれば、情報処理装置からの映像信号に外部から取得した情報を合成し、この合成した映像を所定の表示領域に表示し、撮影手段で第１の表示手段の表示領域を撮影した映像を外部へ送信するので、持ち込まれた情報処理装置の映像出力を接続するだけで、遠隔地と共有、書き込みを行うことができる。
【００１０】
本発明は、所定の入力手段から入力された描画情報をネットワークを介して外部へ送信する送信手段と、所定の情報処理装置から取得した映像信号に、外部からネットワークを介して取得した情報および前記入力手段から入力された描画情報を合成する合成手段と、前記合成手段が合成した映像信号に基づいて、所定の映像を表示する表示手段とを備える遠隔描画装置である。本発明によれば、所定の情報処理装置から取得した映像信号に、外部からネットワークを介して取得した情報および前記入力手段から入力された描画情報を合成し、この合成された映像信号に基づいて、所定の映像を表示することで、持ち込まれた情報処理装置の映像出力を接続するだけで、遠隔地と共有、書き込みを行うことができる。
【００１１】
本発明の遠隔描画装置は更に、前記外部から取得した情報を表示できる形式に変換する変換手段を備える。本発明によれば、外部から取得した情報を表示手段で表示できる形式に変換することで、例えばカメラで撮影した映像をプロジェクタから表示することができる。
【００１２】
本発明の遠隔描画装置は更に、前記情報処理装置から映像信号を取り込むと共に、前記情報処理装置が接続されていないかまたは前記情報処理装置から映像信号が出力されていないときに、黒色あるいは均一色の映像信号を出力する取得手段を備える。本発明によれば、情報処理装置が接続されていないかまたは情報処理装置から映像信号が出力されていないときに、黒色あるいは均一色の映像信号を出力することで、外部から取得した情報を鮮明に表示することができる。
【００１３】
本発明の遠隔描画装置は更に、前記情報処理装置からの映像信号を外部に送信する送信手段を備える。本発明によれば、情報処理装置からの映像情報を外部に送信することで、外部にある遠隔描画装置でも同様の映像を表示することができる。
【００１４】
前記送信手段は、前記情報処理装置が接続されていないかまたは前記情報処理装置から映像信号が出力されていないときには、前記映像信号を外部に出力しないかまたは映像信号がないことを示すメッセージを送信するのが好ましい。本発明によれば、遠隔地の遠隔描画装置では、表示する映像信号がないことを知ることができる。
【００１５】
本発明の遠隔描画装置は更に、前記撮影手段で撮影される映像の座標を用いて、前記外部からネットワークを介して取得する情報の座標を変換する座標変換手段を備える。本発明によれば、撮影手段で撮影される映像の座標を用いて、外部からネットワークを介して取得する情報の座標を変換することで、撮影手段で撮影される映像の座標と外部から取得した情報の座標との対応を取ることができるので、外部からの情報を適切な位置に表示できる。
【００１６】
前記第１の表示手段、前記第２の表示手段または前記表示手段は、ビデオプロジェクタであるのが好ましい。
【００１７】
前記各第１の表示手段、前記第２の表示手段または前記表示手段は、背面投射型のビデオプロジェクタであるのが好ましい。
【００１８】
前記撮影手段は、パン、チルトおよびズームのうちの少なくとも一つの機能を有するカメラであるのが好ましい。
【００１９】
前記撮影手段のパン、チルト、ズームは、ネットワークを介して制御できる。本発明によれば、撮影手段のパン、チルト、ズームを、ネットワーク越しに遠隔制御することができる。
【００２０】
前記撮影手段は、前記表示手段の表示領域を撮影できる広角カメラと、所定の情報処理装置上で前記広角カメラの映像内の一部を矩形で指定すると該矩形に対応した画角になるようにパン、チルトまたはズーム制御されるカメラとからなるのが好ましい。本発明によれば、端末上で広角カメラの映像内の一部を矩形で指定すると、パン、チルトまたはズームカメラがその矩形に対応した画角になるようにパン、チルト、ズーム制御することができる。
【００２１】
前記変換手段は、変換する描画情報がないときは、黒色の映像信号を出力するのが好ましい。本発明によれば、変換手段は、変換する情報がないときには、一面黒色の映像を出力し、描画図形の部分についてはその指定された色で表示することで、表示手段からの映像を鮮明に映し出すことができる。
【００２２】
前記第１の表示手段または前記第２の表示手段は、それぞれの画素の座標が一致するのが好ましい。本発明によれば、第１の表示手段または第２の表示手段は、それぞれの画素の座標が一致するように設置、調整されているので、情報処理装置からの映像上に遠隔地からの図形を正確に重ねることができる。なお、第１の表示手段の表示領域≦カメラの撮影領域≦第２の表示手段の表示領域となるように、第１及び第２の表示手段とカメラを設置あるいはズーム調整するとよい。
【００２３】
前記撮影手段は、絞り、ゲインまたはシャッタースピードを自動的に調節するのが好ましい。
【００２４】
前記撮影手段は、前記絞り、ゲインまたはシャッタースピードの自動調節の際に、絞りまたはゲインより、シャッタースピードを先に調節するのが好ましい。撮影手段は固定したものを撮影するので、ブレを気にする必要がないため絞りまたはゲインを優先して調整することができる。
【００２５】
本発明の遠隔描画装置は更に、前記表示手段で表示する映像の明るさによって、前記撮影手段の絞り、ゲイン、シャッタースピード、前記表示手段の表示明度または遠隔描画装置の表示明度のパラメータを計算し、制御して調整する調整手段を備える。前記情報処理装置の映像信号は、映像ケーブルまたは無線信号で送信されるのが好ましい。
【００２６】
本発明の遠隔描画装置は更に、前記表示領域に接触することにより座標を入力できる入力手段を備える。本発明によれば、ペンまたは手を表示面に接触されたことを、表示手段に設置されたセンサによって検出することで、座標入力することができる。
【００２７】
前記表示領域は、ペンで直接書き込みまたは消去ができる物質であるのが好ましい。本発明によれば、表示領域にはインクペンで書き込めるため、その場にいるユーザーは直感的に書き込むことができる。
【００２８】
前記表示領域は、磁石が付着できる金属でてきているのが好ましい。本発明によれば、持ち込まれた紙ドキュメントも、ホワイトボード１０１の表示領域Ｃ１に貼り付けるだけで、その内容を共有し、遠隔地からの書き込みもできる。
【００２９】
前記表示手段は、描画方法選択用のボタンを表示する。本発明によれば、表示手段によって描画方法選択用のボタンが表示されるので、入力手段で操作して描画方法を選択することができる。
【００３０】
本発明の遠隔描画装置は更に、描画方法を選択することができる選択ボタンを備える。本発明によれば、ユーザーは描画方法選択ボタンを押下げることにより、表示装置による描画方法を選択することができる。
【００３１】
前記送信手段は、送信する映像に変化が起こったときに映像信号を送信するのが好ましい。
【００３２】
本発明は、前記遠隔描画装置と、前記遠隔描画装置から送信される映像信号を表示できる形式に変換手段と該変換手段が変換した映像信号に基づいて所定の映像を表示する表示手段と所定の入力手段から入力された描画情報を前記遠隔描画装置へ送信する送信手段とを含む第２の遠隔描画装置とを備えるシステムである。本発明によれば、持ち込まれた情報処理装置の映像出力を接続するだけで、遠隔地と共有、書き込みを行うことができるシステムを提供することができる。
【００３３】
前記表示手段は、カメラのパン、チルト、ズームを制御するためのボタンを表示するのが好ましい。本発明によれば、表示手段は、カメラのパン、チルト、ズームを制御するためのボタンを表示するので、入力装置で操作してカメラのパン、チルト、ズーム制御することができる。
【００３４】
本発明のシステムは更に、カメラのパン、チルト、ズームを制御するためのボタンを備える。本発明によれば、ユーザーが押下してカメラのパン、チルト、ズーム制御することができる。
【００３５】
本発明は、前記遠隔描画装置と、前記遠隔描画装置から送信される映像信号を映像化する第１の変換手段と、所定の入力手段からの描画情報を前記遠隔描画装置へ送信する送信手段と、前記遠隔描画装置から取得した描画情報を表示できる形式に変換する第２の変換手段と、前記第１の変換手段で変換した映像信号に前記入力手段からの描画情報および前記第２の変換手段で変換した描画情報を合成する合成手段と、前記合成手段で合成した映像信号に基づいて所定の映像を表示する表示手段とを含む第２の遠隔描画装置とを備えるシステムである。本発明によれば、持ち込まれた情報処理装置の映像出力を接続するだけで、遠隔地と共有、書き込みを行うことができるシステムを提供できる。
【００３６】
前記第１の変換手段は、前記映像信号が送信されてこないかまたは前記映像信号がないというメッセージを受信したときに、白色あるいは均一色の映像信号を前記合成手段に出力するのが好ましい。
【００３７】
本発明のシステムは更に、前記映像信号、前記描画情報の送受信を中継するサーバーを備える。
【００３８】
本発明のシステムは更に、前記映像信号、前記描画情報、およびこれらの属性情報を保存し、これらの保存されたデータを要求に応じて送信するサーバーを備える。
【００３９】
本発明のシステムは、前記映像信号および前記描画情報の送信元と送信先を管理し、要求に応じて該送信元と該送信先を変更する中央サーバーを備える。
【００４０】
本発明のシステムは、複数の地点から送られてきた映像信号をひとつの映像に合成するサーバーを備える。本発明によれば、複数の地点から送られてきた映像信号をひとつの映像に合成し、全地点に送信することで、一度の複数の地点の映像を見ることができる。
【００４１】
本発明は、情報処理装置からの映像を第１の表示手段から所定の表示領域に表示する第１表示ステップと、外部からネットワークを介して取得した情報に基づいて、所定の映像を第２の表示手段から前記表示領域に表示する第２表示ステップと、前記表示領域を撮影する撮影ステップと、前記撮影ステップで撮影した映像の映像信号をネットワークを介して外部へ送信する送信ステップとを有することを特徴とする遠隔描画方法である。本発明によれば、外部から取得した情報を表示領域上に表示し、撮影手段により表示領域を撮影し、撮影手段で撮影した映像を外部へ送信するので、持ち込まれた情報処理装置の映像出力を接続するだけで、遠隔地と共有、書き込みを行うことができる。
【００４２】
本発明は、情報処理装置から取得した映像信号に、外部からネットワークを介して取得した情報を合成する合成ステップと、前記合成ステップで合成した映像信号に基づいて、所定の映像を所定の表示領域に表示する表示ステップと、前記表示領域を撮影する撮影ステップと、前記撮影ステップで撮影された映像の映像信号をネットワークを介して外部へ送信する送信ステップとを有する遠隔描画方法である。本発明によれば、情報処理装置からの映像信号に外部から取得した情報を合成し、この合成した映像を所定の表示領域に表示し、撮影手段で第１の表示手段の表示領域を撮影した映像を外部へ送信するので、持ち込まれた情報処理装置の映像出力を接続するだけで、遠隔地と共有、書き込みを行うことができる。
【００４３】
本発明は、所定の入力手段から入力された描画情報をネットワークを介して外部へ送信する送信ステップと、所定の情報処理装置から取得した映像信号に、外部からネットワークを介して取得した情報および前記入力手段から入力された描画情報を合成する合成ステップと、前記合成ステップで合成された映像信号に基づいて、所定の映像を表示する表示ステップとを有する遠隔描画方法である。本発明によれば、所定の情報処理装置から取得した映像信号に、外部からネットワークを介して取得した情報および前記入力手段から入力された描画情報を合成し、この合成された映像信号に基づいて、所定の映像を表示することで、持ち込まれた情報処理装置の映像出力を接続するだけで、遠隔地と共有、書き込みを行うことができる。
【発明の効果】
【００４４】
本発明によれば、持ち込まれた情報処理装置の映像出力を接続するだけで、遠隔地との間で共有、書き込みを行うことができる遠隔描画装置、システムおよび遠隔描画方法を提供できる。
【発明を実施するための最良の形態】
【００４５】
以下、本発明を実施するための最良の形態について説明する。
【００４６】
［第１実施形態］図３は第１実施形態に係るシステム構成図である。図３に示すように、システム５０は、地点Ａの遠隔描画装置１００および地点Ｂの遠隔描画装置２００を備え、これらはネットワークＮを介して接続されている。図４は地点Ａの遠隔描画装置１００のブロック図である。図５は地点Ｂの遠隔描画装置２００のブロック図である。
【００４７】
図４に示すように、地点Ａの遠隔描画装置１００は、ホワイトボード１０１、持込携帯端末１０２、表示装置１０３、座標変換装置１０４、描画情報変換装置１０５、描画図形表示装置１０６、撮影装置１０７、映像送信装置１０８および調整装置１０９を備える。図５に示すように、遠隔描画装置２００は、表示装置２０１、入力装置２０２、描画情報送信装置２０３、映像変換装置２０４およびボタン２０５を備える。
【００４８】
地点Ａの遠隔描画装置１００は、地点Ｂの遠隔描画装置２００との間で映像を共有するものである。ホワイトボード１０１の表示領域Ｃ１は例えばインクペンで直接書き込みと消去ができる物質や磁石が吸着できるように例えば金属でできている。このように、ホワイトボード１０１の表示領域Ｃ１はインクペンで書き込みできるため、その場にいるユーザーは直感的に図形等を書き込むことができる。また、持ち込まれた紙ドキュメントも、ホワイトボード１０１の表示領域Ｃ１に磁石を使って貼り付けるだけで、その内容を共有し、遠隔地からの書き込みを行うこともできる。
【００４９】
持込携帯端末１０２はユーザーによって持ち込まれたものであり、例えばＰＣ、ビデオおよび携帯電話等で構成され、所定の映像信号Ｄ１を表示装置１０３へ出力する。ここで持込携帯端末１０２の映像信号は映像ケーブルまたは無線信号で表示装置１０２へ送信される。表示装置１０３は例えばビデオプロジェクタで構成され、持込携帯端末１０２からの映像信号をホワイトボード１０１の表示領域Ｃ１に表示する。表示装置１０３は背面投射型のビデオプロジェクタであってもよい。
【００５０】
座標変換装置１０４は撮影装置１０７で撮影される映像の座標を用いて、地点Ｂの遠隔描画装置２００からネットワークを介して取得する描画情報Ｄ２の座標を変換する。例えば座標変換装置１０４は、カメラの座標（Ｘ1，Ｙ1）からプロジェクタの座標（Ｘ2，Ｙ2）に変換する。描画情報変換装置１０５は地点Ｂの遠隔描画装置２００から取得した描画情報を描画図形表示装置１０６で表示できる形式に変換する。具体的にはこの描画情報変換装置１０５は数値のデータからなるベクトルデータを例えばプロジェクタで表示可能なデータに変換する。
【００５１】
描画情報変換装置１０５は地点Ｂの遠隔描画装置２００から描画情報が送られてこないときには、一面黒色の映像信号を出力し、描画図形の部分についてはその指定された色の映像信号を出力する。描画図形表示装置１０６は例えばビデオプロジェクタで構成され、地点Ｂの遠隔描画装置２００からネットワークを介して取得した情報に基づいて、所定の映像を表示領域Ｃ１に表示するもので、描画情報変換装置１０５から出力された映像信号をホワイトボードの表示領域Ｃ１に表示させる。描画図形表示装置１０６は例えば背面投射型のビデオプロジェクタであってもよい。なお、表示装置１０３の表示領域≦撮影装置１０７の撮影領域≦描画図形表示装置１０６の表示領域となるように、表示装置１０３、描画図形表示装置１０６および撮影装置１０７を設置あるいはズーム調整するとよい。
【００５２】
撮影装置１０７は例えばパン、チルト、ズームができるカメラで構成され、ホワイトボード１０１の表示領域Ｃ１を撮影する。撮影装置１０７のパン、チルト、ズームはネットワーク越しの地点Ｂの遠隔描画装置２００から遠隔制御できる。撮影装置１０７は、ホワイトボード１０１の表示領域Ｃ１のすべてを撮影できるような広角カメラと、パン、チルト、ズームができるカメラの２台からなり、地点Ｂの遠隔描画装置２００の端末上で広角カメラの映像内の一部を矩形で指定すると、パン、チルト、ズームカメラがその矩形に対応した画角になるようにパン、チルト、ズーム制御することができる。撮影装置１０７は、絞り、ゲインまたはシャッタースピードを自動的に調節することができる。また、撮影装置１０７は、絞り、ゲインまたはシャッタースピードの自動調節の際に、絞りまたはゲインより、シャッタースピードを先に調節する。
【００５３】
映像送信装置１０８は撮影装置１０７で撮影された映像の映像信号Ｄ３をネットワークを介して地点Ｂの遠隔描画装置２００に送信する。調整装置１０９は、表示装置１０３で表示する映像の明るさによって、撮影装置１０７の絞り、ゲイン、シャッタースピード、表示装置１０３の表示明度、描画図形表示装置１０６の表示明度のパラメータを計算し、制御する。なお、座標変換装置１０４、描画情報変換装置１０５、映像送信装置１０８および調整装置１０９は、一台以上のパーソナルコンピュータで構成され、これらはネットワークに接続されている。
【００５４】
次に、Ｂ地点の遠隔描画装置２００について説明する。地点Ｂの遠隔描画装置２００は地点Ａの遠隔描画装置１００から送られてくる映像Ｄ３を表示するものである。表示装置２０１は例えばディスプレイで構成され、地点Ａの遠隔描画装置１００の撮影装置１０７で撮影された映像を表示する。入力装置２０２は描画情報を入力するものである。描画情報送信装置２０３は入力装置２０２から入力された描画情報Ｄ２を地点Ａの遠隔描画装置１００に送信する。これにより、地点Ａの遠隔描画装置１００で描画情報Ｄ２を再生することができる。映像変換装置２０４は地点Ａの遠隔描画装置から送信されてきた映像Ｄ３の映像信号をディスプレイである表示装置２０１で表示できる形式に変換する。これにより、映像変換装置２０４が変換した映像信号に基づいて、表示装置２０１から所定の映像を表示することができる。また、表示装置２０１は地点Ａの遠隔描画装置のカメラのパン、チルト、ズームを制御するためのボタンを表示する。また、ボタン２０５は地点Ａのカメラのパン、チルト、ズームを制御するためのボタンである。これらのボタンを用いて地点Ａのカメラを制御することができる。なお、映像送信装置１０８は、送信する映像に変化が起こったときに映像信号を送信するようにするとよい。同様に、描画情報送信装置２０３は、ユーザーによって描画されたときのみ、描画データを送信するようにするとよい。
【００５５】
次に、第１実施形態に係るシステムの動作について説明する。図６は第１実施形態による持込携帯端末の映像を表示する際の動作フローチャートである。図７は、遠隔地からの描画データを表示する際の動作フローチャートである。図８は、カメラで撮影して遠隔地に送って表示する際の動作フローチャートである。持込携帯端末１０２の映像を表示する際、図６に示すステップＳ１１で、持込携帯端末１０２はユーザーによって持ち込まれ、表示装置１０３に接続される。ステップＳ１２で、表示装置１０３は持込携帯端末１０２からの映像信号Ｄ１に基づき所定の映像をホワイトボード１０１の表示領域Ｃ１に表示する。
【００５６】
遠隔地からの描画データを表示する際、図７に示すステップＳ２１で、地点Ｂの遠隔描画装置２００の描画情報送信装置２０３は、入力装置２０２から入力された描画情報Ｄ２を地点Ａの遠隔描画装置１００に送信する。ステップＳ２２で、座標変換装置１０４は撮影装置１０７で撮影される映像の座標を用いて、地点Ｂの遠隔描画装置２００からネットワークを介して取得した描画情報Ｄ２の座標を変換する。
【００５７】
ステップＳ２３で、描画情報変換装置１０５は地点Ｂの遠隔描画装置２００から取得した描画情報Ｄ２を描画図形表示装置１０６で表示できる形式に変換する。ステップＳ２４で、描画図形表示装置１０６は描画情報変換装置１０５から出力された映像信号をホワイトボードの表示領域Ｃ１に表示する。これにより、地点Ａでは、図４のホワイトボード１０１に遠隔描画装置２００で入力された描画図形が投影され、この描画図形を見ることができる。
【００５８】
カメラで撮影して遠隔地に送って表示する際、図８のステップＳ３１で、撮影装置１０７はホワイトボード１０１の表示領域Ｃ１を撮影する。ステップＳ３２で、映像送信装置１０８は撮影装置１０７で撮影された映像の映像信号Ｄ３をネットワークを介して地点Ｂの遠隔描画装置２００に送信する。地点Ｂの映像変換装置２０４は地点Ａの遠隔描画装置１００から送信されてきた映像の映像信号Ｄ３をディスプレイである表示装置２０１で表示できる形式に変換する。これにより、映像変換装置２０４が変換した映像信号に基づいて、表示装置２０１から所定の映像を表示できる。
【００５９】
このように、遠隔地から送られてくる映像（持込ＰＣの映像＋遠隔地の描画図形）上に、入力装置で描画をし、これを遠隔地の表示装置に反映することができる。これにより、持込携帯端末１０２の映像出力を表示装置１０３に接続するだけで、地点Ａおよび地点Ｂによりその映像を共有し、遠隔地からの書き込みを行うこともできる。
【００６０】
［第２実施形態］次に、第２実施形態について説明する。図９は第２実施形態に係る地点Ａの遠隔描画装置３００のブロック図である。図９に示すように、遠隔描画装置３００は、ホワイトボード３０１、携帯端末３０２、映像取得装置３０３、座標変換装置３０４、描画情報変換装置３０５、映像合成装置３０６、表示装置３０７、撮影装置３０８、映像送信装置３０９および調整装置３１０を備える。なお、ここでは地点Ｂの遠隔描画装置は第１実施形態と同じであるため説明を省略する。
【００６１】
地点Ａの遠隔描画装置３００は地点Ｂの遠隔描画装置２００との間で映像を共有するものである。持込携帯端末３０２は、ユーザーによって持ち込まれたものであり、例えばＰＣ、ビデオおよび携帯電話等で構成れ、所定の映像信号Ｄ１を映像取得装置３０３へ出力する。持込携帯端末３０２の映像信号は、映像ケーブルまたは無線信号で映像取得装置３０３へ送信される。ホワイトボード３０１の表示領域Ｃ２は、インクペンで直接書き込みと消去ができる物質や磁石が吸着できるよう金属でできている。ホワイトボード３０１の表示領域Ｃ２は、インクペンで書き込むことができるので、その場にいるユーザーは直感的に書き込むことができる。また、持ち込まれた紙ドキュメントも、ホワイトボード３０１の表示領域Ｃ２に磁石を用いて貼り付けるだけで、その内容を共有し、遠隔地からの書き込みを行うこともできる。
【００６２】
映像取得装置３０３は持ち込まれた携帯端末３０２からの映像を取り込む。映像取得装置３０３は、持込携帯端末３０２が映像取得装置３０３に接続されていないとき、または持込携帯端末３０２から映像信号が出力されていないときは黒色あるいは均一色の映像信号を出力する。
【００６３】
座標変換装置３０４は撮影装置３０８で撮影される映像の座標を用いて、地点Ｂの遠隔描画装置２００からネットワークを介して取得する描画情報Ｄ２の座標を変換する。描画情報変換装置３０５は地点Ｂの遠隔描画装置２００から取得した描画情報を表示装置３０７で表示できる形式に変換する。映像合成装置３０６は、映像取得装置３０３で取得した映像Ｄ１上に描画情報変換装置３０５から出力された映像Ｄ２を重ねる。表示装置３０７は例えばビデオプロジェクタで構成され、映像合成装置３０６からの映像信号に基づいて所定の映像を表示する。なお、表示装置３０７は背面投射型のビデオプロジェクタであってもよい。
【００６４】
撮影装置３０８は例えば、パン、チルト、ズームができるカメラで構成され、ホワイトボード３０１の表示領域Ｃ２を撮影するものである。撮影装置３０８のパン、チルト、ズームは、ネットワーク越しに地点Ｂの遠隔描画装置２００から遠隔制御することができる。撮影装置３０８はホワイトボード３０１の表示領域Ｃ２のすべてを撮影できるような広角カメラと、パン、チルト、ズームができるカメラの２台からなり、地点Ｂの遠隔描画装置２００のＰＣ上で広角カメラの映像内の一部を矩形で指定すると、パン、チルト、ズームカメラがその矩形に対応した画角になるようにパン、チルト、ズームを制御することができる。撮影装置３０８は絞り、ゲイン、シャッタースピード、を自動的に調節する。撮影装置３０８の絞り、ゲイン、シャッタースピードの自動調節は、絞り、ゲインを優先し、シャッタースピードを先に調節するとよい。
【００６５】
映像送信装置３０９は撮影装置３０８で撮影した映像の映像信号Ｄ３を地点Ｂの遠隔描画装置２００にネットワークを介して送信する。調整装置３１０は表示装置３０７で表示する映像の明るさによって、撮影装置３０８の絞り、ゲイン、シャッタースピード、表示装置３０７の表示明度のパラメータを計算し、制御する。描画情報変換装置３０５、座標変換装置３０４、映像送信装置３０９および調整装置３１０は、例えば、ネットワークに接続された一台以上のパーソナルコンピュータにより構成される。
【００６６】
次に、第２実施形態に係るシステムの動作について説明する。持込携帯端末３０２はユーザーによって持ち込まれ、映像取得装置３０３に接続される。映像取得装置３０３は持込携帯端末３０２からの映像の映像信号Ｄ１を映像合成装置３０６へ送る。地点Ｂの遠隔描画装置２００の描画情報送信装置２０３は、入力装置２０２から入力された描画情報Ｄ２を地点Ａの遠隔描画装置３００に送信する。座標変換装置３０４は撮影装置３０８で撮影される映像の座標を用いて、地点Ｂの遠隔描画装置２００からネットワークを介して取得した描画情報Ｄ２の座標を変換する。描画情報変換装置３０５は地点Ｂの遠隔描画装置２００から取得した描画情報Ｄ２を表示装置３０７で表示できる形式に変換する。
【００６７】
映像合成装置３０６は映像取得装置３０３で取得した映像Ｄ１上に描画情報変換装置３０５から出力された映像Ｄ２を重ねる。表示装置３０７は映像合成装置３０６からの映像信号に基づいて所定の映像を表示する。これにより、地点Ａでは、図９のホワイトボード３０１に表示するような映像を見ることができる。撮影装置３０８はホワイトボード３０１の表示領域Ｃ２を撮影する。映像送信装置３０９は撮影装置３０８で撮影された映像Ｄ３の映像信号をネットワークを介して地点Ｂの遠隔描画装置２００に送信する。地点Ｂの映像変換装置２０４は地点Ａの遠隔描画装置３００から送信されてきた映像Ｄ３の映像信号をディスプレイである表示装置２０１で表示できる形式に変換する。これにより、映像変換装置２０４が変換した映像信号に基づいて、表示装置２０１から所定の映像を表示できる。これにより、持込携帯端末３０２の映像出力を映像取得装置３０３に接続するだけで、地点Ａおよび地点Ｂによりその映像を共有し、遠隔地からの書き込みを行うこともできる。
【００６８】
［第３実施形態］次に、第３実施形態について説明する。図１０は地点Ａの遠隔描画装置４００のブロック図である。図１０に示すように、地点Ａの遠隔描画装置４００は、表示装置４０１、持込携帯端末４０２、映像取得装置４０３、映像送信装置４０４、入力装置４０５、描画情報送信装置４０６、描画情報変換装置４０７、映像合成装置４０８およびボタン４０９を備える。
【００６９】
図１１は地点Ｂの遠隔描画装置５００のブロック図である。図１１に示すように、地点Ｂの遠隔描画装置５００は、表示装置５０１、入力装置５０２、描画情報送信装置５０３、映像変換装置５０４、描画情報変換装置５０５および映像合成装置５０６を備える。
【００７０】
地点Ａの遠隔描画装置４００は地点Ｂの遠隔描画装置５００と描画情報を共有するものである。表示装置４０１は例えば、ディスプレイ装置で構成され、映像合成装置４０８で合成された映像を表示する。持込携帯端末４０２はユーザーによって持ち込まれたものである。持込携帯端末４０２の映像の映像信号Ｄ１は、映像ケーブルまたは無線信号で映像取得装置４０３へ送信される。映像取得装置４０３は、持込携帯端末４０２からの映像信号を取り込むためのものである。映像取得装置４０３は、持込携帯端末４０２が接続されていないとき、または持込携帯端末４０２から映像信号が出力されていないとき、白色あるいは均一色の映像信号を映像合成装置４０８に出力する。
【００７１】
映像送信装置４０４は映像取得装置４０３で取得された映像信号Ｄ１をネットワークを介して地点Ｂの遠隔描画装置５００に送信する。映像送信装置４０４は持込携帯端末４０２が映像取得装置４０３に接続されていないとき、または持込携帯端末４０２から映像信号が出力されていないとき、映像データを出力しないかまたは映像データがないことを示すメッセージを地点Ｂの遠隔描画装置５００に送信する。入力装置４０５は表示装置４０１に設置されたセンサにより、ペンまたは手を表示面に接触させることにより座標入力できるものである。描画情報送信装置４０６は入力装置４０５から入力された描画情報Ｄ２をネットワークを介して地点Ｂの遠隔描画装置５００に送信する。
【００７２】
描画情報変換装置４０７は地点Ｂで描画された描画情報Ｄ４をネットワークを介して受け取って表示装置４０１で表示できる形式に変換する。なお、描画情報変換装置４０７の前段に上記実施形態で説明した座標変換装置を設けてもよい。映像合成装置４０８は映像取得装置４０３で取得した映像信号Ｄ１に、描画情報変換装置４０７からの描画情報Ｄ４および入力装置４０５から入力された描画情報Ｄ２を合成する。これにより、表示装置４０１は映像合成装置４０８が合成した映像信号に基づいて、所定の映像を表示する。表示装置４０１で描画方法選択用のボタンが表示され、入力装置４０５で操作して描画方法を選択することができる。また、表示装置４０１は描画方法選択用のボタンを画面上に表示する。また、ボタン４０９は描画方法を選択するためのボタンである。ユーザーは表示装置４０１に表示された描画方法選択用のボタンやボタン４０９を用いて、表示装置４０１での描画方法を選択できる。なお、映像取得装置４０３、映像送信装置４０４、描画情報送信装置４０６、描画情報変換装置４０７および映像合成装置４０８は、ネットワークに接続された一台以上のパーソナルコンピュータで構成される。
【００７３】
次に、地点Ｂの遠隔描画装置５００について説明する。表示装置５０１は例えばディスプレイ装置で構成され、映像合成装置５０６で合成された映像を表示する。入力装置５０２は表示装置５０１に設置されたセンサにより、ペンまたは手を表示面に接触させることにより座標入力できるものである。描画情報送信装置５０３は入力装置５０２からの描画情報Ｄ４をネットワークを介して地点Ａの遠隔描画装置４００に送信する。映像変換装置５０４は地点Ａの映像送信装置４０４からの映像信号Ｄ１を受け取って、表示装置５０１で表示できる形式に変換する。映像変換装置５０４は映像信号が送信されてこないかまたは映像信号がないというメッセージを受信したときは、白色あるいは均一色の映像信号を映像合成装置５０６に出力する。
【００７４】
描画情報変換装置５０５は地点Ａの遠隔描画装置４００から取得した描画情報をＤ２を表示装置５０１で表示できる形式に変換する。映像合成装置５０６は映像変換装置５０４からの映像信号Ｄ１に入力装置５０２からの描画情報Ｄ４および描画情報変換装置５０５からの描画情報Ｄ２を合成する。表示装置５０１から映像合成装置５０６で合成した映像信号に基づいて所定の映像を表示する。
【００７５】
次に、第３実施形態に係るシステムの動作について説明する。持込携帯端末４０２が映像取得装置４０３に接続されると、映像取得装置４０３は映像信号Ｄ１を映像合成装置４０８および映像送信装置４０４に送る。映像送信装置４０４は映像信号Ｄ１を地点Ｂの遠隔描画装置５００に送る。地点Ｂの遠隔描画装置５００の入力装置５０２から入力された描画情報Ｄ４は、描画情報送信装置５０３から地点Ａの遠隔描画装置４００に送られる。描画情報変換装置４０７は地点Ｂの遠隔描画装置５００からの描画情報Ｄ４を表示装置４０１で表示できる形式に変換する。入力装置４０５から入力された描画情報Ｄ２は、映像合成装置４０８および映像情報送信装置４０６に送られる。描画情報送信装置４０６は描画情報Ｄ２を地点Ｂの遠隔描画装置５００に送る。
【００７６】
映像合成装置４０８は映像取得装置４０３からの持込携帯端末４０２の映像信号Ｄ１に、入力装置４０５からの描画情報Ｄ２および描画情報変換装置４０７からの描画情報Ｄ４を合成する。表示装置４０１は映像合成装置４０８で合成された映像信号に基づいて、図１０に示すような映像を表示する。
【００７７】
一方、地点Ｂの遠隔描画装置５００の映像変換装置５０４は、地点Ａの遠隔描画装置４００からの映像信号Ｄ１を表示装置５０１で表示できる形式に変換する。描画情報変換装置５０５は描画情報Ｄ２を表示装置５０１で表示できる形式に変換する。映像合成装置５０６は映像変換装置５０４からの映像信号Ｄ１に、描画情報変換装置５０５からの描画情報Ｄ２および入力装置５０２からの描画情報Ｄ４を合成して、表示装置５０１に出力する。表示装置５０１は図１１に示すような映像を表示する。これにより、地点Ａの遠隔描画装置４００および地点Ｂの遠隔描画装置５００で会議等で用いる映像を共有することができる。よって、持込携帯端末４０２の映像出力を映像取得装置４０３に接続するだけで、その映像を共有し、遠隔地からの書き込みを行うことができる。
【００７８】
［第４実施形態］次に、第４実施形態について説明する。図１２は第４実施形態に係るシステムを説明するための図である。地点Ａの遠隔描画装置１００、地点Ｂの遠隔描画装置２００および地点Ｃの遠隔描画装置２００からの映像情報、描画情報は、すべて中央サーバー６００を中継して送受信される。なお遠隔描画装置１００および２００は上述と同様であるため説明を省略する。中央サーバー６００はすべての映像情報、描画情報およびその属性情報（時間、地点など）を蓄積し、ユーザーの要求に応じて送信する。これにより、過去の映像情報、描画情報の再現を可能にする。また、中央サーバー６００は地点Ａの遠隔描画装置１００、地点Ｂの遠隔描画装置２００、地点Ｃの遠隔描画装置２００で取り扱われる映像信号および描画情報の送信元と送信先を管理し、要求に応じて送信元と送信先を変更するよう制御する。これにより、複数地点間での送信地、受信地の制御を可能にできる。中央サーバー６００は複数の地点から送られてきた映像信号をひとつの映像に合成して、各遠隔描画装置１００および２００に送信する。
【００７９】
［第５実施形態］次に第５実施形態について説明する。図１３及び図１４は、第５実施形態による描画情報変換装置１０５の送信映像信号例である。本実施形態では、第１実施形態で説明した描画情報変換装置１０５が送信する映像信号の例である。描画情報変換装置１０５は、描画図形表示装置１０６に地点Ｂで描画された図形を映像信号として送るとき、図１４（ａ）に示すように、描画図形に影をつけて出力したり、また、同図（ｂ）に示すように、地点Ｂでの描画が文字の場合、文字の部分に背景をつけて出力する。ここで影や背景の色は、白色などの均一色が好ましい。描画の色によって、影や背景の色は自動的に変えてもよい。例えば描画色が赤のとき、影や背景の色は青にする。この色の関係として、例えば描画色の補色を影や背景の色にすると良い。
【００８０】
これにより、例えば第１実施形態の場合、表示領域Ｃ１において、表示装置１０３と描画図形表示装置１０６とから重ねて表示させるとき、描画図形表示装置１０６から投影される図形や文字を目立たせることができる。また、同様に、図９における描画情報変換装置３０５からの出力、図１０における描画情報変換装置４０７からの出力、図１１における入力装置５０２からの出力においても、描画情報変換装置１０５のように映像信号を出力してもよい。
【００８１】
上記各実施形態によれば、持込ＰＣの映像出力をあらかじめ設置してある装置に接続するだけで、持込携帯端末のスライド資料などの画面を遠隔地にも共有し、遠隔地からの遠隔描画が可能となる。これにより持込携帯端末に特別なソフトウェアをインストールする必要がないため、インストールの時間、手間がかからない。また、持込携帯端末からスライド資料などの情報を他のＰＣに転送／コピーする必要がないため、データそのものが盗まれる心配がないためセキュリティが確保され、転送／コピーする時間、手間もかからない。
【００８２】
また、スライド資料だけでなく、持込ＰＣで表示できるもの（Ｗｅｂページ、特殊なファイルなど）をそのまま表示し、共有することができる。自分の持っているＰＣのソフトウェア設定でそのまま使うことができ、操作がしやすい。ＰＣだけでなく、ビデオカメラなどのデバイスが出力する映像をそのまま表示し、共有することができる。デバイスの映像データをデジタル化してＰＣにコピーする必要がなく、時間を短縮でき、通常のデバイス操作で映像を操作できる。なお、請求項１において、表示装置１０３が第１の表示手段に、描画図形表示装置１０６が第２の表示手段に、撮影装置１０７が撮影手段に、映像送信装置１０８が送信手段にそれぞれ対応する。また請求項２において、映像合成装置３０６が合成手段に、表示装置３０７が表示手段に、撮影装置３０８が撮影手段に、映像送信装置３０９が送信手段にそれぞれ対応する。請求項３において、描画情報送信装置４０６が送信手段に、映像合成装置４０８が合成手段に、表示装置４０１が表示手段にそれぞれ対応する。
【００８３】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００８４】
【図１】特許文献１記載の電子黒板システムの概要を説明するための図である。
【図２】特許文献２記載の遠隔地間で情報を共有できる電子黒板システムの概要を説明するための図である。
【図３】第１実施形態に係るシステム構成図である。
【図４】第１実施形態に係る地点Ａの遠隔描画装置のブロック図である。
【図５】第１実施形態に係る地点Ｂの遠隔描画装置のブロック図である。
【図６】第１実施形態による携帯端末を表示する際の動作フローチャートである。
【図７】第１実施形態による遠隔地からの描画データを表示する際の動作フローチャートである。
【図８】第１実施形態によるカメラで撮影して遠隔地に送って表示する際の動作フローチャートである。
【図９】第２実施形態に係る地点Ａの遠隔描画装置のブロック図である。
【図１０】第３実施形態に係る地点Ａの遠隔描画装置のブロック図である。
【図１１】第３実施形態に係る地点Ｂの遠隔描画装置のブロック図である。
【図１２】第４実施形態に係るシステムを説明するための図である。
【図１３】第５実施形態による描画情報変換装置の送信映像信号例である。
【図１４】第５実施形態による描画情報変換装置の送信映像信号例である。
【符号の説明】
【００８５】
１００、３００、４００  地点Ａの遠隔描画装置
１０１、３０１  ホワイトボード
１０２、３０２、４０２  持込携帯端末
１０３、３０７、４０１  表示装置
１０４、３０４  座標変換装置
１０５、３０５、４０７、５０５  描画情報変換装置
１０６  描画図形表示装置
１０７、３０８  撮影装置
１０８、３０９、４０４  映像送信装置
１０９、３１０  調整装置
２００、５００  地点Ｂの遠隔描画装置
２０１、５０１  表示装置
２０２、４０５、５０２  入力装置
２０３、４０６、５０３  描画情報送信装置
２０４、５０４  映像変換装置
３０３、４０３  映像取得装置
３０６、４０８、５０６  映像合成装置
【図１】
2006128951.tif 000003
【図２】
2006128951.tif 000004
【図３】
2006128951.tif 000005
【図４】
2006128951.tif 000006
【図５】
2006128951.tif 000007
【図６】
2006128951.tif 000008
【図７】
2006128951.tif 000009
【図８】
2006128951.tif 000010
【図９】
2006128951.tif 000011
【図１０】
2006128951.tif 000012
【図１１】
2006128951.tif 000013
【図１２】
2006128951.tif 000014
【図１３】
2006128951.tif 000015
【図１４】
2006128951.tif 000016